(57)【特許請求の範囲】
【請求項１】
コンクリート構造物の表面をかぶりコンクリート内の深さではつり、複数の凹部を形成する工程と、
前記複数の凹部に厚みがはつり深さと同じで雌ねじ孔を形成した連結プレートを固定する工程と、
前記コンクリート構造物の周囲に一定間隔を開けて補強部材を配置する工程と、
前記補強部材から固定ボルトを前記連結プレートの雌ねじ孔に螺着し、補強部材と連結プレートを連結する工程と、
前記コンクリート構造物と前記補強部材間の間隙に固化材を充填し固化材を固化し、補強部材とコンクリート構造物を一体化する工程と、
を備えることを特徴とするコンクリート構造物耐震補強工法。
【請求項２】
前記連結プレートと補強部材間に固定ボルトを挿通する孔を形成した間隔保持部材を配置することを特徴とする請求項１に記載のコンクリート構造物耐震補強工法。
【請求項３】
コンクリート構造物の表面をかぶりコンクリート内の深さではつり、複数の凹部を形成する工程と、
前記複数の凹部に厚みがはつり深さと同じで雌ねじ孔を形成した連結プレートを固定する工程と、
コンクリート構造物表面にブチルゴム膜を形成する工程と、
ブチルゴム膜の形成されたコンクリート構造物の周囲に補強部材を配置する工程と、
前記補強部材から固定ボルトを前記連結プレートの雌ねじ孔に螺着してブチルゴム膜を圧縮しつつ補強部材と連結プレートを連結する工程と、
を備えることを特徴とするコンクリート構造物耐震補強工法。
【請求項４】
前記連結プレートの表裏面形状と厚みを前記コンクリート構造物の表面と面一になるように形成することを特徴とする請求項１ないし３のいずれか１項に記載のコンクリート構造物耐震補強工法。
【請求項５】
コンクリート構造物の表面にかぶりコンクリートの深さの範囲内で形成される複数の凹部に固定される雌ねじ孔を形成した連結プレートと、前記コンクリート構造物の周囲に一定間隔をおいて配置され、前記連結プレートに形成された雌ねじ孔に対応する位置に固定ボルト挿通孔が形成された補強部材と、前記補強部材に形成された固定ボルト挿通孔を通して挿入され前記連結プレートの雌ねじ孔に螺着される固定ボルトと、前記コンクリート構造物と補強部材間の間隙に充填され固化する固化材と、から構成されることを特徴とするコンクリート構造物耐震補強構造。
【請求項６】
コンクリート構造物の表面にかぶりコンクリートの深さの範囲内で形成される複数の凹部に固定される雌ねじ孔を形成した連結プレートと、前記コンクリート構造物の表面に形成されるブチルゴム膜と、ブチルゴム膜の形成されたコンクリート構造物の周囲に配置される補強部材と、前記補強部材に形成された固定ボルト挿通孔を通して挿入され前記ブチルゴム膜を圧縮しつつ前記連結プレートの雌ねじ孔に螺着される固定ボルトと、から構成されることを特徴とするコンクリート耐震補強構造。
【発明の詳細な説明】
【技術分野】
【０００１】
本発明は、建築物、橋梁等のコンクリート構造物の耐震補強工法及びコンクリート構造物耐震補強構造に関する。
【背景技術】
【０００２】
建築物や橋梁等のコンクリート構造物の耐震補強のため、コンクリート構造物の外周に一定間隙をおいて補強部を配置し、補強部とコンクリート構造物との間隙にコンクリートモルタル等の固化材を充填して固化させ、コンクリート構造物と補強部材を一体化するコンクリート構造物の耐震補強工法が提案されている。
【０００３】
特許文献１には、コンクリート構造物の耐震補強工法として、コンクリート構造物の表面劣化部をかぶりコンクリートの範囲内ではつり、その周囲に補強部材を一定間隔で配置し、補強部材と表面がはつられたコンクリート構造物間の間隙に高強度コンクリートを充填して固化させ補強部材とコンクリート構造物を一体化するコンクリート構造物耐震補強工法が開示されている。
【０００４】
また、特許文献２には、鉄筋コンクリート構造物の周囲に耐震補強部を巻き立て、耐震補強部から複数のアンカーを内部鉄筋の内側に定着させ、鉄筋コンクリート構造物と耐震補強部を強固に一体化するコンクリート構造物の耐震補強工法が開示されている。
【０００５】
また、コンクリート構造物の表面を内部鉄筋が露出するまではつり、補強部材から伸びる定着部の先端を内部鉄筋の内側に位置させ、コンクリート構造物と補強部材間の間隙にコンクリートモルタル等の固化材を充填して固化させ、コンクリート構造物と補強部材を一体化するコンクリート構造物の耐震補強工法が提案されている。
【先行技術文献】
【特許文献】
【０００６】
【特許文献１】特開２０１３−１１９５１３号公報
【特許文献２】特開２００２−３３２７５０号公報
【発明の概要】
【発明が解決しようとする課題】
【０００７】
しかしながら、補強部材とコンクリート構造物との間隙にコンクリートモルタル等の固化材を充填して固化させ、コンクリート構造物と補強部材を一体化するコンクリート構造物の耐震補強工法においては、補強部材とコンクリート構造物の一体化がコンクリートの固化だけであり固定力が十分でないという問題を有する。
【０００８】
補強部材から複数のアンカーを内部鉄筋の内側に定着させ、鉄筋コンクリート構造物と耐震補強部を強固に一体化するコンクリート構造物の耐震補強工法においては、アンカーをコンクリート構造物の内部鉄筋内側に打ち込む際、内部鉄筋に損傷を与える恐れがある。
【０００９】
また、コンクリート構造物の表面を内部鉄筋が露出するまではつり、補強部材から伸びる定着部の先端を内部鉄筋の内側に位置させ、コンクリート構造物と補強部材間の間隙にコンクリートモルタル等の硬化材を充填して固化させ、コンクリート構造物と補強部材を一体化するコンクリート構造物の耐震補強工法においては、コンクリート表面のはつり作業に多くの時間を必要とする問題を有する。
【００１０】
本発明は、従来技術の持つ課題を解決するもので、構造が簡単でコンクリート表面のはつり作業が少なく、内部鉄筋に損傷を与えることなく、補強部材とコンクリート構造物を強固に固定することが可能なコンクリート構造物耐震補強工法とコンクリート構造物耐震補強構造を提供することを目的とする。
【課題を解決するための手段】
【００１１】
本発明のコンクリート構造物耐震補強工法は、前記課題を解決するために、コンクリート構造物の表面をかぶりコンクリート内の深さではつり、複数の凹部を形成する工程と、  前記複数の凹部に厚みがはつり深さで雌ねじ孔を形成した連結プレートを固定する工程と、前記コンクリート構造物の周囲に一定間隔を開けて補強部材を配置する工程と、前記補強部材から固定ねじを前記連結プレートの雌ねじ孔に螺着し、補強部材と連結プレートを連結する工程と、前記コンクリート構造物と前記補強部材間の間隙に固化材を充填し固化材を固化し補強部材とコンクリート構造物を一体化する工程と、を備えることを特徴とする。
【００１２】
また、本発明のコンクリート構造物耐震補強工法は、前記連結プレートと補強部材間に固定ボルトを挿通する孔を形成した間隔保持部材を配置することを特徴とする。
【００１３】
また、本発明のコンクリート構造物耐震補強工法は、コンクリート構造物の表面をかぶりコンクリート内の深さではつり、複数の凹部を形成する工程と、前記複数の凹部に厚みがはつり深さと同じで雌ねじ孔を形成した連結プレートを固定する工程と、コンクリート構造物表面にブチルゴム膜を形成する工程と、ブチルゴム膜の形成されたコンクリート構造物の周囲に補強部材を配置する工程と、前記補強部材から固定ボルトを前記連結プレートの雌ねじ孔に螺着してブチルゴム膜を圧縮しつつ補強部材と連結プレートを連結する工程と、を備えることを特徴とする。
【００１４】
また、本発明のコンクリート構造物耐震補強工法は、前記連結プレートの表裏面形状と厚みを前記コンクリート構造物の表面と面一になるように形成することを特徴とする。
【００１５】
また、本発明のコンクリート構造物耐震補強構造は、コンクリート構造物の表面にかぶりコンクリートの深さの範囲内で形成される複数の凹部に固定される雌ねじ孔を形成した連結プレートと、前記コンクリート構造物の周囲に一定間隔をおいて配置され、前記連結プレートに形成された雌ねじ孔に対応する位置に固定ボルト挿通孔が形成された補強部材と、前記補強部材に形成された固定ボルト挿通孔を通して挿入され前記連結プレートの雌ねじ孔に螺着される固定ボルトと、前記コンクリート構造物と補強部材間の間隙に充填され固化する固化材と、から構成されることを特徴とする。
【００１６】
また、本発明のコンクリート構造物耐震補強構造は、コンクリート構造物の表面にかぶりコンクリートの深さの範囲内で形成される複数の凹部に固定される複数の雌ねじ孔を形成した連結プレートと、前記コンクリート構造物の表面に形成されるブチルゴム膜と、ブチルゴム膜の形成されたコンクリート構造物の周囲に配置される補強部材と、前記補強部材に形成された固定ボルト挿通孔を通して挿入され前記ブチルゴム膜を圧縮しつつ前記連結プレートの雌ねじ孔に螺着される固定ボルトと、から構成されることを特徴とする。
【発明の効果】
【００１７】
コンクリート構造物の表面をかぶりコンクリート内の深さではつり、複数の凹部を形成する工程と、  前記複数の凹部に厚みがはつり深さで雌ねじ孔を形成した連結プレートを固定する工程と、前記コンクリート構造物の周囲に一定間隔を開けて補強部材を配置する工程と、前記補強部材から固定ねじを前記連結プレートの雌ねじ孔に螺着し、補強部材と連結プレートを連結する工程と、前記コンクリート構造物と前記補強部材間の間隙に固化材を充填し固化材を固化し補強部材とコンクリート構造物を一体化する工程と、を備えることで、内部鉄筋に損傷を与えることなく、はつり作業を少なくすることができ、補強部材とコンクリート構造物を連結プレートと固定ボルトにより機械的に連結し、さらに固化材の固化により強固に一体化することが可能となる。さらに、補強部材の交換作業を容易に実施することが可能となる。
連結プレートと補強部材間に固定ボルトを挿通する孔を形成した間隔保持部材を配置することで、補強部材とコンクリート構造物間の間隙を一定に保持することが可能となる。
コンクリート構造物の表面をかぶりコンクリート内の深さではつり、複数の凹部を形成する工程と、前記複数の凹部に厚みがはつり深さと同じで雌ねじ孔を形成した連結プレートを固定する工程と、コンクリート構造物表面にブチルゴム膜を形成する工程と、ブチルゴム膜の形成されたコンクリート構造物の周囲に補強部材を配置する工程と、前記補強部材から固定ボルトを前記連結プレートの雌ねじ孔に螺着してブチルゴム膜を圧縮しつつ補強部材と連結プレートを連結する工程と、を備えることで、内部鉄筋に損傷を与えることなく、はつり作業を少なくすることができ、補強部材とコンクリート構造物がブチルゴム膜を圧縮しつつ連結プレートと固定ボルトの螺着により機械的に強固に連結することが可能となる。また、コンクリート構造物表面の不陸の存在にも拘わらず補強部材を密着配置することが可能となる。
連結プレートの表面形状と厚みをコンクリート構造物の表面と面一になるように設定することで、補強部材と連結プレート間にの固定ボルトによる螺着長を一定とすることが可能となる。
コンクリート構造物の表面にかぶりコンクリートの深さの範囲内で形成される複数の凹部に固定される複数の雌ねじ孔を形成した連結プレートと、前記コンクリート構造物の周囲に一定間隔をおいて配置され、前記連結プレートに形成された雌ねじ孔に対応する位置に固定ボルト挿通孔が形成された補強部材と、前記補強部材に形成された固定ボルト挿通孔を通して挿入され前記連結プレートの雌ねじ孔に螺着される固定ボルトと、前記コンクリート構造物と補強部材間の間隙に充填され固化する固化剤と、から構成されることで、補強部材とコンクリート構造物を連結プレートと固定ボルトにより機械的に連結し、さらに固化材の固化により強固に一体化することが可能となる。さらに、補強部材の交換作業を容易に実施することが可能となる。
コンクリート構造物の表面にかぶりコンクリートの深さの範囲内で形成される複数の凹部に固定される複数の雌ねじ孔を形成した連結プレートと、前記コンクリート構造物の表面に形成されるブチルゴム膜と、ブチルゴム膜の形成されたコンクリート構造物の周囲に配置される補強部材と、前記補強部材に形成された固定ボルト挿通孔を通して挿入され前記ブチルゴム膜を圧縮しつつ前記連結プレートの雌ねじ孔に螺着される固定ボルトと、から構成されることで、補強部材とコンクリート構造物を連結プレートと固定ボルトにより強固に連結することが可能となる。また、コンクリート構造物表面の不陸の存在にも拘わらず補強部材を密着配置することが可能となる。さらに、補強部材の交換作業を容易に実施することが可能となる。                                                                
【００１８】
連結プレートと補強部材間に固定ボルトを挿通する孔を形成した間隔保持部材を配置することで、補強部材とコンクリート構造物間の間隙を一定に保持することが可能となる。
【００１９】
コンクリート構造物の表面をかぶりコンクリート内の深さではつり、複数の凹部を形成する工程と、前記複数の凹部に厚みがはつり深さと同じで雌ねじ孔を形成した連結プレートを固定する工程と、コンクリート構造物表面にブチルゴム膜を形成する工程と、ブチルゴム膜の形成されたコンクリート構造物の周囲に補強材を配置する工程と、前記補強部材から固定ボルトを前記連結プレートの雌ねじ孔に螺着してブチルゴム膜を圧縮しつつ補強部材と連結プレートを連結する工程と、を備えることで、内部鉄筋に損傷を与えることなく、はつり作業を少なくすることができ、補強部材とコンクリート構造物がブチルゴム膜を圧縮しつつ連結プレートと固定ボルトの螺着により機械的に強固に連結することが可能となる。また、コンクリート構造物表面の不陸の存在にも拘わらず補強部材を密着配置することが可能となる。
【００２０】
連結プレートの表面形状と厚みをコンクリート構造物の表面と面一になるように設定することで、補強部材と連結プレート間にの固定ボルトによる螺着長を一定とすることが可能となる。
【００２１】
コンクリート構造物の表面にかぶりコンクリートの深さの範囲内で形成される複数の凹部に固定される複数の雌ねじ孔を形成した連結プレートと、前記コンクリート構造物の周囲に一定間隔をおいて配置され、前記連結プレートに形成された雌ねじ孔に対応する位置に固定ボルト挿通孔が形成された補強部材と、前記補強部材に形成された固定ボルト挿通孔を通して挿入され前記連結プレートの雌ねじ孔に螺着される固定ボルトと、前記コンクリート構造物と補強部材間の間隙に充填され固化する固化剤と、から構成されることで、補強部材とコンクリート構造物を連結プレートと固定ボルトにより機械的に連結し、さらに固化材の固化により強固に一体化することが可能となる。さらに、補強部材の交換作業を容易に実施することが可能となる。
【００２２】
コンクリート構造物の表面にかぶりコンクリートの深さの範囲内で形成される複数の凹部に固定される複数の雌ねじ孔を形成した連結プレートと、前記コンクリート構造物の表面に形成されるブチルゴム膜と、ブチルゴム膜の形成されたコンクリート構造物の周囲に配置される補強部材と、前記補強部材に形成された固定ボルト挿通孔を通して挿入され前記ブチルゴム膜を圧縮しつつ前記連結プレートの雌ねじ孔に螺着される固定ボルトと、から構成されることで、補強部材とコンクリート構造物を連結プレートと固定ボルトにより強固に連結することが可能となる。また、コンクリート構造物表面の不陸の存在にも拘わらず補強部材を密着配置することが可能となる。さらに、補強部材の交換作業を容易に実施することが可能となる。
【図面の簡単な説明】
【００２３】
【図１】（ａ）（ｂ）本発明の実施の形態を示す図である。
【図２】（ａ）（ｂ）本発明の実施の形態を示す図である。
【図３】本発明の実施の形態を示す図である。
【図４】本発明の実施の形態を示す図である。
【図５】（ａ）（ｂ）本発明の実施の形態を示す図である。
【図６】（ａ）（ｂ）本発明の実施の形態を示す図である。
【図７】本発明の実施の形態を示す図である。
【図８】本発明の実施の形態を示す図である。
【発明を実施するための形態】
【００２４】
本発明の実施の形態を図により説明する。図１（ａ）（ｂ）は、断面矩形の鉄筋コンクリート柱状体に対して耐震補強する実施形態を示す。
【００２５】
建築物の柱や橋梁の橋脚等の構造物の鉄筋コンクリートの断面矩形柱状体１は、内部に主筋２と副筋３が配筋されている。鉄筋コンクリート構造物は、経年変化により内部鉄筋の外側のかぶりコンクリートの部分が劣化する。
【００２６】
表面が劣化した断面矩形柱状体１の耐震補強のための第一工程は、表面が劣化したコンクリートをかぶりコンクリート１ａの範囲内ではつり、連結プレート４を固定する凹部を形成する。凹部の深さは、連結プレート４の厚みと同じにする。
【００２７】
第二工程は、凹部に連結プレート４を固定する。固定手段としては、接着剤による固定又は固定ピン等の機械的固定手段による。連結プレート４には雌ねじ孔を形成する。雌ねじ孔は、複数形成しても良い。連結プレート４は、鋼製又は強化樹脂製等の強度の大きい材量で形成する。断面矩形柱状体１の凹部に固定された連結プレート４の表面と断面矩形柱状体１の表面が面一になるように、連結プレート４の表面形状を平面とし、厚みを凹部の深さと同じに形成する。固定手段として接着剤を用いる場合、連結プレート４の裏面は接着剤による接着強度を向上するために租面とするのが望ましい。
【００２８】
第三工程は、連結プレート４が凹部に固定された断面矩形柱状体１の外周に補強部材５を配置する。この実施形態の補強部材５は、１対の断面コ字形部材５ａ、５ａを互いに向き合うように連結し、さらに上下方向に複数連結して構成する。断面コ字形部材５ａは、鋼製又は強化樹脂製等の強度の大きい材量で形成する。断面コ字形部材５ａには、連結プレート４に形成された雌ねじ孔に対応する位置に固定ボルト挿通孔が形成される。
【００２９】
第四工程は、断面矩形柱状体１の外周に配置した補強部材５と、連結プレート４とが固定ボルト６を介して固定される。連結プレート４と補強部材５との間に固定ボルト挿通孔を形成した間隔保持部材７を配置することにより、補強部材５と連結プレート４との間隔を一定に保持することが可能となる。間隔保持部材７の表裏面は、補強部材５と連結プレート４と面接触する平面形状とする。連結プレート４の厚みがかぶりコンクリートの範囲内であるので、螺着長を十分に確保できない場合、固定ボルトの６の外径及び連結プレート４に形成される雌ねじ孔の内径を大きくして固定ボルト６と連結プレート４との固定を確実にするのが好ましい。
【００３０】
第五工程は、連結プレート４に固定された補強部材５と、断面矩形柱状体１との間隙に高強度コンクリートモルタル等の固化材を充填し、固化させる。固化材の固化により補強部材５と断面矩形柱状体１が強固に一体化される。
【００３１】
この実施形態のコンクリート構造物耐震補強工法によれば、内部鉄筋に損傷を与えることなく、はつり作業を少なくすることができ、補強部材５と断面矩形柱状体１を連結プレート４と固定ボルト６により機械的に連結し、さらに固化材の固化により強固に一体化することが可能となる。
【００３２】
図２（ａ）（ｂ）は、鉄筋コンクリート製の断面円形柱状体８に対して耐震補強する実施形態を示す。
【００３３】
建築物の柱や橋梁の橋脚等の構造物の鉄筋コンクリートの断面円形柱状体８は、内部に主筋９と副筋１０が配筋されている。鉄筋コンクリート構造物は、経年変化により内部鉄筋の外側のかぶりコンクリートの部分が劣化する。
【００３４】
表面が劣化した断面円形柱状体８の耐震補強のための第一工程は、表面が劣化したコンクリートをかぶりコンクリート８ａの範囲内ではつり、連結プレート１１を固定する凹部を形成する。凹部の深さは、連結プレート１１の厚みと同じにする。
第二工程は、凹部に連結プレート１１を固定する。固定手段としては、接着剤による固定又は固定ピン等の機械的固定手段による。連結プレート１１には雌ねじ孔を形成する。雌ねじ孔は複数形成しても良い。連結プレート１１は、鋼製又は強化樹脂製等の強度の大きい材量で形成する。断面円形柱状体８の凹部に固定された連結プレート１１の表面と断面円形柱状体８の表面が面一になるように、連結プレート１１の表裏面形状を円弧面とし、厚みを凹部の深さと同じに形成する。接着剤による固定の場合、連結プレート１１の裏面は接着剤による接着強度を向上するために租面とするのが望ましい。
【００３５】
第三工程は、連結プレート１１が凹部に固定された断面円形柱状体８の外周に型枠兼補強部１２を配置する。この実施形態の補強部材１２は、１対の断面半円形部材１２ａ、１２ａを互いに向き合うように連結し、さらに上下方向に複数連結して構成する。断面半円形部材１２ａは、鋼製又は強化樹脂製等の強度の大きい材量で形成する。断面半円形部材１２ａには、連結プレート４に形成された雌ねじ孔に対応する位置に固定ボルト挿通孔が形成される。
【００３６】
第四工程は、断面円形柱状体８の外周に配置した補強部材１２と、連結プレート１１とが固定ボルト１３を介して固定される。連結プレート１１と補強部材５との間に固定ボルト挿通孔を形成した間隔保持部材１４を配置することにより、補強部材１２と連結プレート１１との間隔を一定に保持することが可能となる。間隔保持部材１４の表裏面は、型枠兼保持部５と連結プレート４と面接触する円弧形状とする。連結プレート１１の厚みがかぶりコンクリートの範囲内であるので、螺着長を十分に確保できない場合、固定ボルト１３の外径及び連結プレート１１に形成される雌ねじ孔の内径を大きくして固定ボルト６と連結プレート４との固定を確実にするのが好ましい。
【００３７】
第五工程は、連結プレート１１に固定された補強部材１２と、断面円形柱状体８との間隙に高強度コンクリートモルタル等の固化材を充填し、固化させる。固化材の固化により補強部材１２と断面矩形柱状体８が強固に一体化される。
【００３８】
この実施形態のコンクリート構造物耐震補強工法によれば、内部鉄筋に損傷を与えることなく、はつり作業を少なくすることができ、補強部材１２と断面円形柱状体８を連結プレート１１と固定ボルト１３により機械的に連結し、さらに固化材の固化により強固に一体化することが可能となる。
【００３９】
図３は、鉄筋コンクリート製のコンクリート主桁１５に対して耐震補強する実施形態を示す。
【００４０】
橋梁の鉄筋コンクリート製のコンクリート主桁１５は、内部に主筋１６と副筋１７が配筋されている。鉄筋コンクリート構造物は、経年変化により内部鉄筋の外側のかぶりコンクリートの部分が劣化する。
【００４１】
表面が劣化したコンクリート主桁１５の耐震補強のための第一工程は、表面が劣化したコンクリートをかぶりコンクリート１５ａの範囲内ではつり、連結プレート１８を固定する凹部を形成する。凹部の深さは、連結プレート１８の厚みと同じにする。
【００４２】
以下、図１、図２に示される実施形態と同様に、連結プレート１８を凹部に固定する工程、コンクリート主桁１５の周囲の補強部材１９を配置する工程、補強部材１９と連結プレート１８を間隔保持部材２１を介して固定ボルト２０により固定する工程、補強部材１９とコンクリート主桁１５間の間隙に固化材を充填し、固化材を固化させ、コンクリート主桁１５と補強部材１９を一体に固定する。
【００４３】
作用、効果は、図１、図２に示す実施形態と同様であるので説明を省略する。
【００４４】
図４は、鉄筋コンクリート製のＵ字形側溝２２に対して耐震補強する実施形態を示す。
【００４５】
鉄筋コンクリート製のＵ字形側溝２２は、内部に主筋２３と副筋２４が配筋されている。鉄筋コンクリート構造物は、経年変化により内部鉄筋の外側のかぶりコンクリートの部分が劣化する。
【００４６】
表面が劣化したＵ字形側溝２２の耐震補強のための第一工程は、表面が劣化したコンクリートをかぶりコンクリート２２ａの範囲内ではつり、連結プレート２５を固定する凹部を形成する。凹部の深さは、連結プレート２５の厚みと同じにする。
【００４７】
以下、図１、図２に示される実施形態と同様に、連結プレート２５を凹部に固定する工程、Ｕ字形側溝２２の内壁に沿って補強部材２６を配置する工程、補強部材２６と連結プレート２５を間隔保持部材２８を介して固定ボルト２７により固定する工程、Ｕ字形側溝２２と補強部材２６間の間隙に固化材を充填し、固化材を固化させ、Ｕ字形側溝２２と補強部材２６を一体に固定する。
【００４８】
作用、効果は、図１、図２、図３に示す実施形態と同様であるので説明を省略する。
【００４９】
図５（ａ）（ｂ）は、断面矩形の鉄筋コンクリート柱状体に対して耐震補強する他の実施形態を示す。
【００５０】
建築物の柱や橋梁の橋脚等の構造物の鉄筋コンクリートの断面矩形柱状体１は、内部に主筋２と副筋３が配筋されている。鉄筋コンクリート構造物は、経年変化により内部鉄筋の外側のかぶりコンクリートの部分が劣化する。
【００５１】
表面が劣化した断面矩形柱状体１の耐震補強のための第一工程は、表面が劣化したコンクリートをかぶりコンクリート１ａの範囲内ではつり、連結プレート４を固定する凹部を形成する。凹部の深さは、連結プレート４の厚みと同じにする。
【００５２】
第二工程は、凹部に連結プレート４を固定する。固定手段としては、接着剤による固定又は固定ピン等の機械的固定手段による。連結プレート４には雌ねじ孔を形成する。雌ねじ孔は、複数形成しても良い。連結プレート４は、鋼製又は強化樹脂製等の強度の大きい材量で形成する。断面矩形柱状体１の凹部に固定された連結プレート４の表面と断面矩形柱状体１の表面が面一になるように、連結プレート４の表面形状を平面とし、厚みを凹部の深さと同じに形成する。固定手段として接着剤を用いる場合、連結プレート４の裏面は接着剤による接着強度を向上するために租面とするのが望ましい。
【００５３】
第三工程は、連結プレート４が固定された断面矩形柱状体１の表面にブチルゴム膜３０を形成する。ブチルゴム膜３０は、塗布等の手段により形成する。ブチルゴム膜３０の厚みは、断面矩形柱状体１表面の不陸が解消する程度とする。
【００５４】
第四工程は、ブチルゴム膜３０が形成された断面矩形柱状体１の外周に補強部材５を配置する。この実施形態の補強部材５は、１対の断面コ字形部材５ａ、５ａを互いに向き合うように連結し、さらに上下方向に複数連結して構成する。断面コ字形部材５ａは、鋼製又は強化樹脂製等の強度の大きい材量で形成する。断面コ字形部材５ａには、連結プレート４に形成された雌ねじ孔に対応する位置に固定ボルト挿通孔が形成される。
【００５５】
第五工程は、断面矩形柱状体１の外周に配置した補強部材５と、連結プレート４とを、ブチルゴム膜３０を圧縮しつつ固定ボルト６を介して固定する。ブチルゴム膜３０を圧縮しつつ固定ボルト６により固定するので、断面矩形柱状体１表面の不陸の存在にも拘わらず補強部材５を断面矩形柱状体１に密着固定することが可能となる。
【００５６】
この実施形態のコンクリート構造物耐震補強工法によれば、内部鉄筋に損傷を与えることなく、はつり作業を少なくすることができ、補強部材５と断面矩形柱状体１を密着させて連結プレート４と固定ボルト６により固定することが可能となる。
【００５７】
図６（ａ）（ｂ）は、鉄筋コンクリート製の断面円形柱状体８に対して耐震補強する実施形態を示す。
【００５８】
建築物の柱や橋梁の橋脚等の構造物の鉄筋コンクリートの断面円形柱状体８は、内部に主筋９と副筋１０が配筋されている。鉄筋コンクリート構造物は、経年変化により内部鉄筋の外側のかぶりコンクリートの部分が劣化する。
【００５９】
表面が劣化した断面円形柱状体８の耐震補強のための第一工程は、表面が劣化したコンクリートをかぶりコンクリート８ａの範囲内ではつり、連結プレート１１を固定する凹部を形成する。凹部の深さは、連結プレート１１の厚みと同じにする。
第二工程は、凹部に連結プレート１１を固定する。固定手段としては、接着剤による固定又は固定ピン等の機械的固定手段による。連結プレート１１には雌ねじ孔を形成する。雌ねじ孔は複数形成しても良い。連結プレート１１は、鋼製又は強化樹脂製等の強度の大きい材量で形成する。断面円形柱状体８の凹部に固定された連結プレート１１の表面と断面円形柱状体８の表面が面一になるように、連結プレート１１の表裏面形状を円弧面とし、厚みを凹部の深さと同じに形成する。接着剤による固定の場合、連結プレート１１の裏面は接着剤による接着強度を向上するために租面とするのが望ましい。
【００６０】
第三工程は、連結プレート１１が固定された断面円形柱状体８の表面にブチルゴム膜３０を形成する。ブチルゴム膜３０は、塗布等の手段により形成する。ブチルゴム膜３０の厚みは、断面円形柱状体８表面の不陸が解消する程度とする。
【００６１】
第四工程は、ブチルゴム膜３０が形成された断面円形柱状体８の外周に補強部材１２を配置する。この実施形態の補強部材１２は、１対の断面半円形部材１２ａ、１２ａを互いに向き合うように連結し、さらに上下方向に複数連結して構成する。断面半円形部材１２ａは、鋼製又は強化樹脂製等の強度の大きい材量で形成する。断面半円形部材１２ａには、連結プレート４に形成された雌ねじ孔に対応する位置に固定ボルト挿通孔が形成される。
【００６２】
第五工程は、断面円形柱状体８の外周に配置した補強部材１２と、連結プレート１１とを、ブチルゴム膜３０を圧縮しつつ固定ボルト１３を介して固定する。ブチルゴム膜３０を圧縮しつつ固定ボルト１３により固定するので、断面円形柱状体８表面の不陸の存在にも拘わらず補強部材１２を断面円形柱状体８に密着固定することが可能となる。
【００６３】
この実施形態のコンクリート構造物耐震補強工法によれば、内部鉄筋に損傷を与えることなく、はつり作業を少なくすることができ、補強部材１２と断面円形柱状体８を密着させて連結プレート１１と固定ボルト６の螺着により固定することが可能となる。
【００６４】
図７は、鉄筋コンクリート製のコンクリート主桁１５に対して耐震補強する実施形態を示す。
【００６５】
橋梁の鉄筋コンクリート製のコンクリート主桁１５は、内部に主筋１６と副筋１７が配筋されている。鉄筋コンクリート構造物は、経年変化により内部鉄筋の外側のかぶりコンクリートの部分が劣化する。
【００６６】
表面が劣化したコンクリート主桁１５の耐震補強のための第一工程は、表面が劣化したコンクリートをかぶりコンクリート１５ａの範囲内ではつり、連結プレート１８を固定する凹部を形成する。凹部の深さは、連結プレート１８の厚みと同じにする。
【００６７】
以下、図５、図６に示される実施形態と同様に、連結プレート１８を凹部に固定する工程、コンクリート主桁１５表面にブチルゴム膜３０を形成する工程、コンクリート主桁１５の周囲の補強部材１９を配置する工程、補強部材１９と連結プレート１８を、ブチルゴム膜３０を圧縮しつつ固定ボルト１３を介して固定する。ブチルゴム膜３０を圧縮しつつ固定ボルト１３により固定工程を備えている。
【００６８】
作用、効果は、図５、図６に示す実施形態と同様であるので説明を省略する。
【００６９】
図８は、鉄筋コンクリート製のＵ字形側溝２２に対して耐震補強する実施形態を示す。
【００７０】
鉄筋コンクリート製のＵ字形側溝２２は、内部に主筋２３と副筋２４が配筋されている。鉄筋コンクリート構造物は、経年変化により内部鉄筋の外側のかぶりコンクリートの部分が劣化する。
【００７１】
表面が劣化したＵ字形側溝２２の耐震補強のための第一工程は、表面が劣化したコンクリートをかぶりコンクリート２２ａの範囲内ではつり、連結プレート２５を固定する凹部を形成する。凹部の深さは、連結プレート２５の厚みと同じにする。
【００７２】
以下、図５、図６、図７に示される実施形態と同様に、連結プレート２５を凹部に固定する工程、Ｕ字形側溝２２表面にブチルゴム膜３０を形成する工程、Ｕ字形側溝２２の周囲の補強部材２６を配置する工程、補強部材２６と連結プレート２５を、ブチルゴム膜３０を圧縮しつつ固定ボルト２７を介して固定する固定工程を備えている。
【００７３】
作用、効果は、図５、図６、図７に示す実施形態と同様であるので説明を省略する。
【００７４】
本発明のコンクリート構造物耐震補強工法は、コンクリート壁、コンクリート梁、コンクリート床等にも適用することが可能である。
【００７５】
以上のように、本発明のコンクリート構造物耐震補強工法及びコンクリート構造物耐震補強構造によれば、内部鉄筋に損傷を与えることなく、はつり作業を少なくすることができ、補強部材とコンクリート構造物を連結プレートと固定ボルトにより機械的に連結し、さらに固化材の固化により強固に一体化することが可能となる。また、コンクリート構造物表面の不陸の存在にも拘わらず補強部材とコンクリート構造物を密着固定することが可能となる。さらに、補強部材の交換作業を容易に実施することが可能となる。
【符号の説明】
【００７６】
１：断面矩形柱状体、１ａ：かぶりコンクリート、２：主筋、３：副筋、４：連結プレート、５：型枠兼補強部、５ａ：断面コ字形部材、６：固定ボルト、７：間隔保持部材、８：断面円形柱状体、８ａ：かぶりコンクリート、９：主筋、１０：副筋、１１：連結プレート、１２：型枠兼補強部、１２ａ：断面半円形部材、１３：固定ボルト、１４：間隔保持部材、１５：コンクリート主桁、１５ａ：かぶりコンクリート、１６：主筋、１７：副筋、１８：連結プレート、１９：補強部材、２０：固定ボルト、２１：間隔保持部材、２２：Ｕ字形側溝、２２ａ：かぶりコンクリート、２３：主筋、２４：副筋、２５：連結プレート、２６：補強部材、２７：固定ボルト、２８：間隔保持部材、３０：ブチルゴム膜
【図１】
0006423202.tif 000002
【図２】
0006423202.tif 000003
【図３】
0006423202.tif 000004
【図４】
0006423202.tif 000005
【図５】
0006423202.tif 000006
【図６】
0006423202.tif 000007
【図７】
0006423202.tif 000008
【図８】
0006423202.tif 000009